(57)【要約】【課題】デジタル放送用ＲＦ信号の劣化を防止しつつ、デジタル放送受像端末の設置場所等を気にすることなく、宅内や建物内の如何なる場所においても視聴することが可能なデジタル放送受信システムを提供する。【解決手段】デジタル放送のテレビ受信用アンテナ５００にて受信したデジタル放送用無線周波数信号をデジタル放送配信装置１００にて復調し、得られたデジタル放送用のデジタルデータからトランスポートストリームパケットデータを抽出して、デジタル放送の各チャネル単位にあらかじめ対応付けて割り付けられたＩＥＥＥ８０２．１１規格準拠の無線ＬＡＮの基本サービスセット識別子(ＢＳＳＩＤ)単位にマッピングした無線ＬＡＮ用の無線周波数信号に変調して、無線アクセル用アンテナ１００ａから無線ＬＡＮネットワーク３００を介して１ないし複数台のデジタル放送受像端末２００に再送信する。【選択図】        図１
2011223197.tif 000002
【特許請求の範囲】
【請求項１】
デジタル放送受信用のアンテナによって受信したデジタル放送用無線周波数信号を復調して得られたデジタル放送用のデジタルデータからトランスポートストリームパケットデータを抽出してＩＥＥＥ８０２．１１規格準拠の無線ＬＡＮ用の無線周波数信号に変換して１ないし複数台のデジタル放送受像端末に再送信するデジタル放送配信装置を備えたデジタル放送受信システムであって、前記デジタル配信装置は、前記トランスポートストリームパケットデータを、デジタル放送の各チャネル単位にあらかじめ対応付けて割り付けられた無線ＬＡＮの基本サービスセット識別子（ＢＳＳＩＤ:Basic Service Set Identifier）単位にマッピングして前記デジタル放送受像端末に再送信することを特徴とするデジタル放送受信システム。
【請求項２】
前記デジタル放送受像端末は、前記デジタル配信装置から送信されてくる無線ＬＡＮ用の無線周波数信号を復調して得られた前記トランスポートストリームパケットデータの中から、指定したチャネルに対応付けて割り付けられた前記基本サービスセット識別子にマッピングされている前記トランスポートストリームパケットデータを抽出して、映像信号にデコードすることを特徴とする請求項１に記載のデジタル放送受信システム。
【請求項３】
前記デジタル配信装置は、前記デジタル放送受像端末から指定したチャネルに関するトランスポートストリームパケットデータの送球要求があった際に、当該チャネルのトランスポートストリームパケットデータを、当該チャネル単位にあらかじめ対応付けて割り付けられた前記基本サービスセット識別子単位にマッピングして前記デジタル放送受像端末に再送信することを特徴とする請求項１または２に記載のデジタル放送受信システム。
【請求項４】
前記デジタル配信装置は、チャネル当たりのセグメント数を示すトランスポートストリームパケットデータの多重単位をチャネル毎に任意のセグメント数に切り替えて設定する多重単位切替部を備えていることを特徴とする請求項１ないし３のいずれかに記載のデジタル放送受信システム。
【請求項５】
デジタル放送受信用のアンテナによって受信したデジタル放送用無線周波数信号を復調したデジタル放送用のデジタルデータからトランスポートストリームパケットデータを抽出してＩＥＥＥ８０２．１１規格準拠の無線ＬＡＮ用の無線周波数信号に変換して１ないし複数台のデジタル放送受像端末に再送信するデジタル放送配信装置であって、前記トランスポートストリームパケットデータを、デジタル放送の各チャネル単位にあらかじめ対応付けて割り付けられた無線ＬＡＮの基本サービスセット識別子（ＢＳＳＩＤ:Basic Service Set Identifier）単位にマッピングして前記デジタル放送受像端末に再送信することを特徴とするデジタル放送配信装置。
【請求項６】
デジタル放送用のトランスポートストリームパケットデータを変調したＩＥＥＥ８０２．１１規格準拠の無線ＬＡＮ用の無線周波数信号を受信して、映像信号にデコードするデジタル放送受像端末であって、受信した無線ＬＡＮ用の無線周波数信号を復調して得られたデジタル放送用の前記トランスポートストリームパケットデータの中から、指定したチャネルに対応付けて割り付けられた無線ＬＡＮの基本サービスセット識別子（ＢＳＳＩＤ:Basic Service Set Identifier）にマッピングされている前記トランスポートストリームパケットデータを抽出して、映像信号にデコードすることを特徴とするデジタル放送受像端末。
【発明の詳細な説明】
【技術分野】
【０００１】
本発明は、デジタル放送受信システム、デジタル放送配信装置およびデジタル放送受像端末に関する。
【背景技術】
【０００２】
特許文献１の特開平１０−２２４６９９号公報「テレビ受信システム」にも記載されているように、現状におけるテレビ受信用のアンテナから宅内や建物内の各受像端末（端末機器）に至るまでの構成については、一般に、図９のような接続構成になっている。図９は、現状の宅内や建物内のデジタル放送受信システムの接続構成を示す構成図であり、テレビ受信用のアンテナから各受像端末に至るまでの接続構成を示している。
【０００３】
図９において、ＵＨＦ（Ultra High Frequency）帯のテレビ信号を受信するテレビ受信用アンテナ９０１において受信したデジタル放送用無線周波数（ＲＦ：Radio Frequency）信号は同軸ケーブル９０２に介して分配器９０３に送信され、分配器９０３によって、複数の各受像端末９０５それぞれに同軸ケーブル９０４を介して分配される。つまり、宅内や建物内においては、デジタル放送用ＲＦ信号は、同軸ケーブル９０２，９０４を用いて送配信される。
【先行技術文献】
【特許文献】
【０００４】
【特許文献１】特開平１０−２２４６９９号公報（第２−３頁）
【発明の概要】
【発明が解決しようとする課題】
【０００５】
しかしながら、図９に示すような接続構成においては、次のような課題がある。
【０００６】
第１の課題は、同軸ケーブルによって接続するため、デジタル放送を受像する受像端末の設置場所が特定されてしまうことである。
【０００７】
第２の課題は、デジタル放送用ＲＦ信号を同軸ケーブルによって送配信するため、受信したデジタル放送用ＲＦ信号のレベル低下が発生してしまうことである。
【０００８】
第３の課題は、多数のデジタル放送受像用の受像端末を分配器に同軸ケーブルを介して接続する場合には、デジタル放送用ＲＦ信号を増幅することが必要になり、別途、デジタル放送用ＲＦ信号増幅器が必要になってしまうことである。
【０００９】
つまり、現状のデジタル放送受信システムにおいては、宅内や建物内において、テレビ受信用のアンテナによって受信したデジタル放送用ＲＦ信号を複数のデジタル放送受像端末に配信する際に、分配器により複数の同軸ケーブルそれぞれに分配して配信しているので、各同軸ケーブルでレベル低下しているデジタル放送用ＲＦ信号に対しては、増幅器を別途配置して増幅した後、分配器からの同軸ケーブルによって各部屋のテレビ受像端末まで配信するようにしていた。かかる対策を施しても、同軸ケーブルにおける信号レベルの低下や断線が発生したりするのみならず、同軸ケーブルの配線先によって決まる固定の場所にしかデジタル放送受像端末を配置することができず、デジタル放送受像端末の配置の自由度がなく、任意の場所に持ち運びすることができなかった。
【００１０】
本発明は、かかる事情に鑑みてなされたものであり、その目的とするところは、同軸ケーブルを用いた送配信方式ではなく、無線ＬＡＮを用いた送配信方式を採用することにより、デジタル放送用ＲＦ信号の劣化を防止しつつ、デジタル放送受像端末の設置場所等を気にすることなく、宅内や建物内の如何なる場所においても視聴することが可能なデジタル放送受信システム、デジタル放送配信装置およびデジタル放送受像端末を提供することにある。
【課題を解決するための手段】
【００１１】
前述の課題を解決するため、本発明によるデジタル放送受信システム、デジタル放送配信装置およびデジタル放送受像端末は、主に、次のような特徴的な構成を採用している。
【００１２】
（１）本発明によるデジタル放送受信システムは、デジタル放送受信用のアンテナによって受信したデジタル放送用無線周波数信号を復調して得られたデジタル放送用のデジタルデータからトランスポートストリームパケットデータを抽出してＩＥＥＥ８０２．１１規格準拠の無線ＬＡＮ用の無線周波数信号に変換して１ないし複数台のデジタル放送受像端末に再送信するデジタル放送配信装置を備えたデジタル放送受信システムであって、前記デジタル配信装置は、前記トランスポートストリームパケットデータを、デジタル放送の各チャネル単位にあらかじめ対応付けて割り付けられた無線ＬＡＮの基本サービスセット識別子（ＢＳＳＩＤ:Basic Service Set Identifier）単位にマッピングして前記デジタル放送受像端末に再送信することを特徴とする。
【００１３】
（２）本発明によるデジタル放送配信装置は、デジタル放送受信用のアンテナによって受信したデジタル放送用無線周波数信号を復調したデジタル放送用のデジタルデータからトランスポートストリームパケットデータを抽出してＩＥＥＥ８０２．１１規格準拠の無線ＬＡＮ用の無線周波数信号に変換して１ないし複数台のデジタル放送受像端末に再送信するデジタル放送配信装置であって、前記トランスポートストリームパケットデータを、デジタル放送の各チャネル単位にあらかじめ対応付けて割り付けられた無線ＬＡＮの基本サービスセット識別子（ＢＳＳＩＤ:Basic Service Set Identifier）単位にマッピングして前記デジタル放送受像端末に再送信することを特徴とする。
【００１４】
（３）本発明によるデジタル放送受像端末は、デジタル放送用のトランスポートストリームパケットデータを変調したＩＥＥＥ８０２．１１規格準拠の無線ＬＡＮ用の無線周波数信号を受信して、映像信号にデコードするデジタル放送受像端末であって、受信した無線ＬＡＮ用の無線周波数信号を復調して得られたデジタル放送用の前記トランスポートストリームパケットデータの中から、指定したチャネルに対応付けて割り付けられた無線ＬＡＮの基本サービスセット識別子（ＢＳＳＩＤ:Basic Service Set Identifier）にマッピングされている前記トランスポートストリームパケットデータを抽出して、映像信号にデコードすることを特徴とする。
【発明の効果】
【００１５】
本発明のデジタル放送受信システム、デジタル放送配信装置およびデジタル放送受像端末によれば、以下のような効果を奏することができる。
【００１６】
第１の効果は、宅内や建物内を同軸ケーブルによって配線することなく、無線ＬＡＮネットワークを用いて、デジタル放送配信装置からデジタル放送受像端末にデジタル放送信号を無線ＬＡＮ用ＲＦ信号として再送信をしているので、同軸ケーブルの配線工事の簡略化、同軸ケーブル配線時の断線を防ぐことがきることである。
【００１７】
第２の効果は、従来のデジタル放送受信システムにおいては、同軸ケーブルの配線がしてある場所においてのみデジタル放送受像端末が使用可能であったが、本発明においては、無線ＬＡＮネットワークを用いて再送信することによって、デジタル放送受像端末を任意の場所にフレキシブルに配置することができることである。
【００１８】
第３の効果は、デジタル放送信号の受信周波数と無線ＬＡＮ用ＲＦ信号の周波数とは、異なる周波数帯を用いているので、外部からのデジタル放送信号（例えば地上デジタル放送信号）の周波数と混同することなく、デジタル放送の映像をデジタル放送受像端末において高画質で受像することができることである。
【００１９】
第４の効果は、各トランスポートストリームパケット（ＴＳＰ）として分割されたチャネル（ｃｈ）単位のデータを無線ＬＡＮの基本サービスセット識別子（ＢＳＳＩＤ）を単位として振り分けることによって、無線ＬＡＮの周波数を有効に利用することができることである。
【図面の簡単な説明】
【００２０】
【図１】本発明に係るデジタル放送受信システムのシステム構成の一例を示すシステム構成図である。
【図２】本発明に係るデジタル放送配信装置の装置構成の一例を示す装置構成図である。
【図３】本発明に係るデジタル放送受像端末の装置構成の一例を示す装置構成図である。
【図４】本発明に係る一実施形態の図２のデジタル放送配信装置のＴＳＰ多重部、図３のデジタル放送受像端末のＴＳＰ取出部に実装されるＴＳＰデータの多重アルゴリズムの一例を示す模式図である。
【図５】本発明に係る一実施形態の図２のデジタル放送配信装置の無線ＬＡＮデータ組立部、図３のデジタル放送受像端末の無線ＬＡＮデータ組立部に実装される多重化ＴＳＰデータと無線ＬＡＮデータのプロトコルスタックとの対応関係の一例を示す模式図である。
【図６】図２のデジタル放送配信装置の動作の一例を説明するためのフローチャートである。
【図７】図２のデジタル放送配信装置が図３のデジタル放送受像端末からチャネルデータ送信要求を受け取った場合の動作の一例を説明するためのフローチャートである。
【図８】図３のデジタル放送受像端末の動作の一例を説明するためのフローチャートである。
【図９】現状の宅内や建物内のデジタル放送受信システムの接続構成を示す構成図である。
【発明を実施するための形態】
【００２１】
以下、本発明によるデジタル放送受信システム、デジタル放送配信装置およびデジタル放送受像端末の好適な実施形態について添付図を参照して説明する。
【００２２】
（本発明の特徴）
本発明の実施形態の説明に先立って、本発明の特徴についてその概要をまず説明する。本発明は、デジタル放送受信システムとして、ＵＨＦアンテナより受信したデジタル放送のデジタルデータを復調／再生するＲＦ信号受信手段、ベースバンド処理手段を少なくとも備え、受信した前記デジタルデータを、ＴＣＰ／ＩＰ（Transmission Control Protocol/Internet Protocol）ベースであるＩＥＥＥ８０２.１１ａ，ｂ／ｇ，ｎ、などの各種無線ＬＡＮ方式（つまり、ＩＥＥＥ８０２.１１規格準拠の無線ＬＡＮ方式）によって変換して出力することができるデジタル放送配信装置において、テレビ受像端末や各種デジタル受像機器、宅内や建物（オフィス）内のブロードバンド回線へ接続して配信する接続機器等の、各種のデジタル放送受像端末に対して、宅内や建物内の同軸ケーブルを介してデジタル放送信号を配信する場合のように、デジタル放送受像端末の設置場所が限られていた状況を改め、ＩＥＥＥ８０２.１１規格準拠の宅内や建物内の無線ＬＡＮ方式によってデジタル放送信号を再配信するということを特徴としており、かかる無線ＬＡＮ方式によるデジタル放送信号の再配信を行うことにより、デジタル放送受像端末は、設置場所の如何を問わず、広範囲に亘って、デジタル放送を受信／受像することができるという効果が得られる。
【００２３】
また、デジタル放送配信装置においては、配信側インターフェースである無線ＬＡＮのアクセス帯域を有効に活用するために、無線ＬＡＮのビーコン（Ｂｅａｃｏｎ）に含まれる基本サービスセット識別子（ＢＳＳＩＤ：Basic Service Set Identifier）をチャネル(ｃｈ：channel)情報毎に対応付けて送出し、デジタル放送を受像する受像端末は、必要チャネル（ｃｈ）の基本サービスセット識別子（ＢＳＳＩＤ）において接続を行う、というデジタル放送受信システムを構成している。
【００２４】
つまり、本発明においては、ＵＨＦアンテナによって受信したデジタル放送信号の宅内や建物内への分配には、同軸ケーブルを使用しないで、該デジタル放送信号をＵＨＦアンテナ端において一旦復調し、再度、ＴＣＰ／ＩＰベースであるＩＥＥＥ８０２.１１ａ，ｂ／ｇ，ｎ等の、各種無線ＬＡＮ方式（つまり、ＩＥＥＥ８０２.１１規格準拠の無線ＬＡＮ方式）の信号に変換して、再送信する。而して、同軸ケーブルによる配信のような伝送媒体による信号のレベル低下を防止することができること、デジタル放送受像端末の配置場所への同軸ケーブルの配線を行う必要がなくなること、デジタル放送受像端末の配置の自由度を付与することができること等の効果を奏することができる。
【００２５】
ここで、本発明においては、有限な無線インターフェースの周波数帯域を有効に使用するために、前述のように、ＩＥＥＥ８０２.１１方式の基本サービスセット識別子（ＢＳＳＩＤ）へ各受像チャネル（ｃｈ）を論理的に割り当てることによって、全てのチャネル（ｃｈ）データを無線ＬＡＮ用ＲＦ信号としてデジタル放送受像端末へ送信することなく、基本サービスセット識別子（ＢＳＳＩＤ）に対応付けたチャネル（ｃｈ）データのみを送信することにより、例えばＩＥＥＥ８０２.１１ｂ方式のような最大１１Ｍｂｐｓの帯域しか有していない方式であっても、有効に受像することができる。また、トランスポートストリームパケット（ＴＳＰ：Transport Stream Packet）を送信するデジタル放送配信装置の負荷を、１チャネル（ｃｈ）であれば１チャネル（ｃｈ）分だけ処理させれば良いことになるので、消費電力の削減、装置の小型化を図ることも可能となる。すなわち、本発明は、無線周波数帯域の有効利用、消費電力の削減、装置の負荷軽減、装置の小型化等を図る上で、極めて有効である。
【００２６】
（本発明の実施形態の構成例）
次に、本発明に係るデジタル放送受信システムの実施形態として、デジタル放送受信システムのシステム構成について、図１を用いてまず説明する。図１は、本発明に係るデジタル放送受信システムのシステム構成の一例を示すシステム構成図である。
【００２７】
図１に示すデジタル放送受信システムは、デジタル放送信号の再送信用として宅内や建物内に配置されるデジタル放送配信装置１００、宅内や建物内に１ないし複数台配置されるデジタル放送受像端末２００、デジタル放送配信装置１００から無線ＬＡＮ用ＲＦ信号として出力されてくるデジタル放送信号を伝送する無線ＬＡＮネットワーク３００を少なくとも備えて構成されている。
【００２８】
デジタル放送配信装置１００は、屋外に設定されているテレビ受信用アンテナ５００にて受信されたデジタルテレビ放送信号を同軸ケーブル４００を介して受信して、受信したデジタルテレビ放送信号を、各チャネル（ｃｈ：channel）に対応付けてあらかじめ割り付けられているＩＥＥＥ８０２.１１方式の基本サービスセット識別子（ＢＳＳＩＤ）に該当する無線周波数帯の無線ＬＡＮ用のＲＦ信号に変換して、無線アクセス用アンテナ１００ａから送出する。
【００２９】
ここで、無線ＬＡＮ方式のＲＦ信号とは、ＴＣＰ／ＩＰ（Transmission Control Protocol/Internet Protocol）ベースであるＩＥＥＥ８０２.１１ａ，ｂ／ｇ，ｎ、などの規格に準拠している各種無線ＬＡＮ方式（つまり、ＩＥＥＥ８０２.１１規格準拠の無線ＬＡＮ方式）の無線周波数（ＲＦ：Radio Frequency）信号である。
【００３０】
つまり、デジタル放送配信装置１００は、受信したデジタルテレビ放送信号を復調して得られたデジタルデータのトランスポートストリームパケット（ＴＳＰ：Transport Stream Packet）を、無線ＬＡＮ方式に則ったフレームフォーマットにマッピングして、各チャネル（ｃｈ）に対応付けてあらかじめ割り付けられている基本サービスセット識別子（ＢＳＳＩＤ：Basic Service Set Identifier）毎に分けて、マルチキャストアドレスを付与したフレームとして無線アクセス用アンテナ１００ａから送出する。
【００３１】
無線ＬＡＮネットワーク３００は、基本サービスセット識別子（ＢＳＳＩＤ）毎（例えばＢＳＳＩＤ＿１，ＢＳＳＩＤ＿２，…、ＢＳＳＩＤ＿Ｎ）にマッピングされた各チャネル（ｃｈ）のトランスポートストリームパケット（ＴＳＰ）をＩＥＥＥ８０２.１１規格準拠の無線ＬＡＮ方式にしたがって、１ないし複数台の各デジタル放送受像端末２００にマルチキャストする。
【００３２】
デジタル放送受像端末２００は、送信要求したチャネル（ｃｈ）に該当する基本サービスセット識別子（ＢＳＳＩＤ）のトランスポートストリームパケット（ＴＳＰ）を、ＩＥＥＥ８０２.１１規格準拠の無線ＬＡＮ方式にしたがって受信して、デジタルテレビ放送信号に復調して視聴する。
【００３３】
（デジタル放送配信装置の構成例）
次に、本発明に係るデジタル放送受信システムにおけるデジタル放送配信装置の構成例について説明する。図２は、本発明に係るデジタル放送配信装置の装置構成の一例を示す装置構成図である。
【００３４】
図２に示すデジタル放送配信装置１００は、ＲＦ信号受信部１０１、デジタル放送用信号復調部１０２、ＴＳＰ取出部１０３、ＴＳＰ多重部１０４、無線ＬＡＮデータ組立部１０５、無線ＬＡＮデータ変復調部１０６、各種無線ＬＡＮ方式毎のＲＦ信号送受信部１０７、および、デジタル放送配信装置制御部１０８を少なくとも備えて構成されている。
【００３５】
ＲＦ信号受信部１０１は、ＵＨＦアンテナより無線周波数（ＲＦ：Radio Frequency）信号（以下、ＲＦ信号と略記する）を受信するチューナ部であり、ローパスフィルタ（ＬＰＦ：Low Path Filter）等によって不要成分を除去したデジタル放送用のＲＦ信号（１３セグメント/１ｃｈ×ｃｈ数）の抽出を行う。デジタル放送用信号復調部１０２は、ＲＦ信号受信部１０１によって抽出したＲＦ信号から変調されたサブキャリア信号を取り出して復調し、デジタル放送のトランスポートストリーム（ＴＳ：Transport Stream）としてセグメントデジタルデータの抽出を行う。
【００３６】
ＴＳＰ取出部１０３は、デジタル放送用信号復調部１０２にて取り出したセグメントデジタルデータから固定長のトランスポートストリームパケット（ＴＳＰ：Transport Stream Packet）の抽出を行う。なお、取り出そうとするセグメントデジタルデータに関しては、接続されるデジタル放送受像端末２００から送信要求があるチャネル（ｃｈ：１３セグメント分）のみの取り込みを行っている。ＴＳＰ多重部１０４においては、ＴＳＰ取出部１０３にて抽出されたトランスポートストリームパケット（ＴＳＰ）を多重化した後、データ圧縮等を行う機能を有している。
【００３７】
無線ＬＡＮデータ組立部１０５においては、ＴＳＰ多重部１０４にて多重化されたトランスポートストリームパケット（ＴＳＰ）を、無線ＬＡＮ方式に則ったフレームフォーマットにマッピングして、各チャネル（ｃｈ）にあらかじめ割り付けられた基本サービスセット識別子（ＢＳＳＩＤ）毎に分けて、マルチキャストアドレスを付与したフレームとして組み立てたり、逆に、無線ＬＡＮ方式に則ったフレームフォーマットのデジタルデータを無線ＬＡＮデータ変復調部１０６から受け取り、多重化されたトランスポートストリームパケット（ＴＳＰ）に分解したりする。
【００３８】
無線ＬＡＮデータ変復調部１０６においては、無線ＬＡＮデータ組立部１０５にてフレームフォーマットに組み立てられたデジタルデータを、無線ＬＡＮ方式としてあらかじめ取り決められた変調方式にしたがって変調したり、逆に、変調されたデジタルデータのＲＦ信号をＲＦ信号送受信部１０７から受け取り、復調したりする。
【００３９】
無線ＬＡＮ用のＲＦ信号送受信部１０７は、無線ＬＡＮデータ変復調部１０６にて変調されたデジタルデータのＲＦ信号を、無線ＬＡＮ方式として定められたアンテナ(図１の無線アクセス用アンテナ１００ａ)によって無線ＬＡＮ用ＲＦ信号として送出したり、無線ＬＡＮネットワーク３００を介してデジタル放送受像端末２００から送信されてくる無線ＬＡＮ用ＲＦ信号を受信したりする。
【００４０】
デジタル放送配信装置制御部１０８においては、無線ＬＡＮのビーコン（Ｂｅａｃｏｎ）に含まれる基本サービスセット識別子（ＢＳＳＩＤ）を、デジタル放送のチャネル（ｃｈ）毎に送出する制御を行う。また、デジタル放送受像端末２００より各チャネル（ｃｈ）の基本サービスセット識別子（ＢＳＳＩＤ）に対する接続要求があった場合には、接続要求のあったデジタル放送チャネル（ｃｈ）のトランスポートストリームパケット（ＴＳＰ）のデジタルデータを基本サービスセット識別子（ＢＳＳＩＤ）に対応付けた無線ＬＡＮデータフォーマットへコンバートする制御を実施する。
【００４１】
なお、無線ＬＡＮデータ組立部１０５、無線ＬＡＮデータ変復調部１０６、ＲＦ信号送受信部１０７は、前述したように、無線ＬＡＮ送受信部として、デジタル放送受像端末２００との間の認証接続のために、送受信両方向が可能な機能を有している。
【００４２】
（デジタル放送受像端末の構成例）
次に、本発明に係るデジタル放送受信システムにおけるデジタル放送受像端末の構成例について説明する。図３は、本発明に係るデジタル放送受像端末の装置構成の一例を示す装置構成図である。
【００４３】
図３に示すデジタル放送受像端末２００は、ＲＦ信号送受信部２０１、無線ＬＡＮデータ変復調部２０２、無線ＬＡＮデータ組立部２０３、ＴＳＰ取出部２０４、デジタル放送受像回路部２０５、デジタル放送受像部２０６、および、デジタル放送受像端末制御部２０７を少なくとも備えて構成されている。
【００４４】
ＲＦ信号送受信部２０１は、デジタル放送配信装置１００より無線ＬＡＮネットワーク３００を介して無線ＬＡＮ用ＲＦ信号を受信したり、逆に、デジタル放送配信装置１００に対して無線ＬＡＮネットワーク３００を介して無線ＬＡＮ用ＲＦ信号として無線ＬＡＮデータ変復調部２０２にて変調された要求信号を送信したりする。無線ＬＡＮデータ変復調部２０２は、ＲＦ信号送受信部２０１にて受信した無線ＬＡＮ用ＲＦ信号を復調してデジタルデータの取り出しを行ったり、逆に、デジタルデータを無線ＬＡＮデータ組立部２０３から受け取って、無線ＬＡＮ用ＲＦ信号に変調してＲＦ信号送受信部２０１に送出したりする。
【００４５】
無線ＬＡＮデータ組立部２０３においては、無線ＬＡＮデータ変復調部２０２からのデジタルデータからデジタル放送のデジタルデータを取り出してＴＳＰ取出部２０４に送出したり、逆に、デジタル放送配信装置１００へ送信するデジタルデータを組み立てて無線ＬＡＮデータ変復調部２０２に送出したりする。ＴＳＰ取出部２０４においては、無線ＬＡＮデータ組立部２０３にて取り出したデジタルデータの中からトランスポートストリームパケット（ＴＳＰ）データの抽出を行う。
【００４６】
デジタル放送受像回路部２０５は、ＴＳＰ取出部２０４にて抽出されたトランスポートストリームパケット（ＴＳＰ）データから、受像データを取り込んで変換を行い、デジタル放送受像部２０６にて映像として映し出す。
【００４７】
なお、ＲＦ信号送受信部２０１、無線ＬＡＮデータ変復調部２０２、無線ＬＡＮデータ組立部２０３は、前述したように、無線ＬＡＮ送受信部として、デジタル放送配信装置１００との間の認証接続のために、送受信両方向が可能な機能を有している。
【００４８】
以上のような構成からなるデジタル放送受信システムにおいては、デジタル放送配信装置１００において、受信したデジタル放送のＲＦ信号を一旦デジタルデータに復調して、デジタル放送のトランスポートストリームパケット（ＴＳＰ）データを取り出した後、当該トランスポートストリームパケット（ＴＳＰ）データをＩＥＥＥ８０２.１１規格に準拠の無線ＬＡＮ方式として取り決められた方式に従った無線ＬＡＮ用ＲＦ信号に変換して、デジタル放送信号を再送信する形で、無線ＬＡＮネットワーク３００に送出している。
【００４９】
ＩＥＥＥ８０２.１１規格に準拠の無線ＬＡＮ方式の無線ＬＡＮ用ＲＦ信号に対応したデジタル放送受像端末２００においては、無線ＬＡＮネットワーク３００を介してデジタル放送配信装置１００から送出された無線ＬＡＮ用ＲＦ信号を無線ＬＡＮデータとして取り込み、通常のデジタル放送用の受像データに変換して、通常のデジタルテレビ受像回路へ送出する機能を備えている。
【００５０】
したがって、同軸ケーブル配線を用いていたためにデジタル放送受像端末の設置場所が限られていた従来のデジタル放送受信システムとは異なり、当該デジタル放送受像端末２００は、設置場所の如何を問わず、宅内、建物内の広範囲に亘って、また、据え置き型、移動型の如何を問わず、デジタル放送を受信/受像することができる。
【００５１】
また、無線ＬＡＮの周波数帯域を有効に利用し、かつ、デジタル放送受像端末２００のユーザからのチャネル（ｃｈ）要求を的確に判断するために、基本サービスセット識別子（ＢＳＳＩＤ）単位でチャネル（ｃｈ）データを配信し、かつ、必要な場合にのみ、デジタル放送のデータを送信する機能を有しており、最大１１Ｍｂｐｓと伝送速度が遅いＩＥＥＥ８０２.１１ｂ規格準拠の無線ＬＡＮ方式においても、デジタル放送のデータを送信することが可能となっている。
【００５２】
なお、トランスポートストリームパケット（ＴＳＰ）データの多重アルゴリズムの一例を図４に示す。図４は、図２のデジタル放送配信装置１００のＴＳＰ多重部１０４、図３のデジタル放送受像端末２００のＴＳＰ取出部２０４に実装されるトランスポートストリームパケット（ＴＳＰ）データの多重アルゴリズムの一例を示す模式図である。
【００５３】
図４（Ａ）に示すように、トランスポートストリームパケット（ＴＳＰ）データは、第１セグメントから第１３セグメントに亘ってセグメント毎に、ＴＳＰ１−１、ＴＳＰ１−２、ＴＳＰ１−３、ないし、ＴＳＰ１３−１、ＴＳＰ１３−２、ＴＳＰ１３−３のように、１セグメント当たり、１８８ｂｙｔｅの固定長データとして、１６ｂｙｔｅのヌルデータを介して組み上げられている。
【００５４】
図２のデジタル放送配信装置１００のＴＳＰ多重部１０４においては、かかるトランスポートストリームパケット（ＴＳＰ）データを、図４（Ｂ）に示すように、１３セグメントを１チャネル（ｃｈ）分として、第１セグメントから第１３セグメントの順番にトランスポートストリームパケット（ＴＳＰ）セグメント毎に、第１番目がＴＳＰ１−１、ＴＳＰ２−１、ＴＳＰ３−１、…、ＴＳＰ１３−１、第２番目がＴＳＰ１−２、ＴＳＰ２−２、ＴＳＰ３−２、…、ＴＳＰ１３−２、…と、多重化する。
【００５５】
一方、図３のデジタル放送受像端末２００のＴＳＰ取出部２０４においては、図４（Ｂ）に示すような、１３セグメントを１チャネル（ｃｈ）分として、第１セグメントから第１３セグメントの順番にトランスポートストリームパケット（ＴＳＰ）セグメント毎に、第１番目がＴＳＰ１−１、ＴＳＰ２−１、ＴＳＰ３−１、…、ＴＳＰ１３−１、第２番目がＴＳＰ１−２、ＴＳＰ２−２、ＴＳＰ３−２、…、ＴＳＰ１３−２、…と、多重化されたトランスポートストリームパケット（ＴＳＰ）データを、図４（Ａ）に示すように、ＴＳＰ１−１、ＴＳＰ１−２、ＴＳＰ１−３、…、ＴＳＰ１３−１、ＴＳＰ１３−２、ＴＳＰ１３−３と、第１セグメントから第１３セグメントに亘ってセグメント毎にトランスポートストリームパケット（ＴＳＰ）データとして分解する。
【００５６】
また、多重化されたトランスポートストリームパケット（ＴＳＰ）データと無線ＬＡＮデータのプロトコルスタックとの対応関係の一例を図５に示す。図５は、図２のデジタル放送配信装置１００の無線ＬＡＮデータ組立部１０５、図３のデジタル放送受像端末２００の無線ＬＡＮデータ組立部２０３に実装される多重化トランスポートストリームパケット（ＴＳＰ）データと無線ＬＡＮデータのプロトコルスタックとの対応関係の一例を示す模式図であり、図５（Ａ）は、多重化トランスポートストリームパケット（ＴＳＰ）データの一例を示し、図５（Ｂ）は、ＩＥＥＥ８０２．１１規格準拠の無線ＬＡＮデータのプロトコルスタックの一例を示している。無線ＬＡＮデータのプロトコルスタックは、図５（Ｂ）に示すように、３０ｂｙｔｅの無線ＬＡＮ用ＭＡＣヘッダの後に、最大２３１２ｂｙｔｅのペイロードを配置し、その後に、フレームチェック用の４ｂｙｔｅのＦＣＳ（Frame Check Sequence）を配置するというフレームフォーマットとして構成されている。
【００５７】
図５（Ｂ）のプロトコルスタックに示すように、図２のデジタル放送配信装置１００の無線ＬＡＮデータ組立部１０５においては、ＴＳＰ多重部１０４にて多重化された図５（Ａ）のような１チャネル（ｃｈ）分の多重化トランスポートストリームパケット（ＴＳＰ）データを、最大２３１２ｂｙｔｅのペイロード内にマッピングする。
【００５８】
一方、図３のデジタル放送受像端末２００の無線ＬＡＮデータ組立部２０３においては、無線ＬＡＮデータ変復調部２０２にて復調された図５（Ｂ）のような無線ＬＡＮデータにおけるペイロードから、図５（Ａ）のような１チャネル（ｃｈ）分の多重化トランスポートストリームパケット（ＴＳＰ）データを抽出する。
【００５９】
（本発明の実施形態の動作の説明）
次に、図１〜図３に示した本発明に係るデジタル放送受信システムの動作について、その一例を説明する。まず、図２に示したデジタル放送配信装置１００の動作例を、図６のフローチャートを用いて説明する。図６は、図２のデジタル放送配信装置１００の動作の一例を説明するためのフローチャートである。
【００６０】
デジタル放送配信装置１００においては、デジタル放送信号受信用のＵＨＦアンテナ（図１のテレビ受信用アンテナ５００）を介して、ＲＦ信号受信部１０１にて、デジタル放送用ＲＦ信号を受信すると（ステップＳ１）、該デジタル放送用ＲＦ信号をデジタル放送用信号復調部１０２において復調させた後（ステップＳ２）、ＴＳＰ取出部１０３においてトランスポートストリーム（ＴＳ）としてセグメント毎に抽出する（ステップＳ３）。
【００６１】
次に、抽出したセグメント毎のトランスポートストリーム（ＴＳ）を、ＴＳＰ多重部１０４において、１３セグメント分多重化して、１チャネル（ｃｈ）分の多重化トランスポートストリームパケット（ＴＳＰ）データを生成する（ステップＳ４）。しかる後、無線ＬＡＮデータ組立部１０５において、多重化トランスポートストリームパケット（ＴＳＰ）データを無線ＬＡＮ方式のフレームフォーマットのペイロード部分へマッピングしてコンバートを行い、デジタル放送の各チャネル（ｃｈ）データとしてあらかじめ割り付けられている基本サービスセット識別子（ＢＳＳＩＤ）単位で振り分けを行う（ステップＳ５）。
【００６２】
次いで、無線ＬＡＮ方式のフレームフォーマットに組み立てられたデジタルデータを、無線ＬＡＮデータ変復調部１０６において、無線ＬＡＮ方式としてあらかじめ取り決められた変調方式にしたがって変調し（ステップＳ６）、無線ＬＡＮ用ＲＦ信号としてＲＦ信号送受信部１０７より送信する(ステップＳ７)。
【００６３】
ここで、デジタル放送配信装置制御部１０８の制御によりデジタル放送のチャネル（ｃｈ）毎に対応付けられて送信している基本サービスセット識別子（ＢＳＳＩＤ）のビーコン（Ｂｅａｃｏｎ）に対して、デジタル放送受像端末２００よりチャネル(ｃｈ)データの送信要求があった際には、図７のフローチャートに示すような動作を行う。図７は、図２のデジタル放送配信装置１００が図３のデジタル放送受像端末２００からチャネル（ｃｈ）データ送信要求を受け取った場合の動作の一例を説明するためのフローチャートである。
【００６４】
図７のフローチャートに示すように、まず、デジタル放送配信装置制御部１０８の制御により、デジタル放送のチャネル（ｃｈ）毎の基本サービスセット識別子（ＢＳＳＩＤ）を通知するビーコン（Ｂｅａｃｏｎ）に関する情報を、無線ＬＡＮデータ組立部１０５にて、無線ＬＡＮ方式のフレームフォーマットに組み立てて、無線ＬＡＮデータ変復調部１０６にて変調して、ＲＦ信号送受信部１０７より該ビーコン（Ｂｅａｃｏｎ）を送信する（ステップＳ１１）。
【００６５】
しかる後、デジタル放送配信装置制御部１０８は、デジタル放送受像端末２００から送信されてきた無線ＬＡＮ用ＲＦ信号が無線ＬＡＮデータ組立部１０５において分解されて出力されたデジタルデータを検索して、デジタル放送受像端末２００からチャネル(ｃｈ)データの送信要求（接続要求）が受信されたか否かを確認する（ステップＳ１２）。チャネル(ｃｈ)データの送信要求が受信されていない場合は（ステップＳ１２のＮＯ）、ステップＳ１１に復帰して、ビーコンの送信動作を継続する。
【００６６】
一方、チャネル(ｃｈ)データの送信要求が受信された場合は（ステップＳ１２のＹＥＳ）、デジタル放送配信装置制御部１０８の制御によって、無線ＬＡＮデータ変復調部１０６において、送信要求があったチャネル（ｃｈ）に該当する基本サービスセット識別子（ＢＳＳＩＤ）毎のトランスポートストリームパケット（ＴＳＰ）データを無線ＬＡＮ方式としてあらかじめ取り決められた変調方式にしたがって変調して、無線ＬＡＮ用ＲＦ信号としてＲＦ信号送受信部１０７より送信する(ステップＳ１３)。
【００６７】
次に、図３に示したデジタル放送受像端末２００の動作例を、図８のフローチャートを用いて説明する。図８は、図３のデジタル放送受像端末２００の動作の一例を説明するためのフローチャートであり、デジタル放送配信装置１００から送信されてくるデジタル放送のトランスポートストリームパケット（ＴＳＰ）データを受信して、デジタル放送受像端末２００のモニタ画面に映し出すまでの動作の一例を示している。
【００６８】
デジタル放送受像端末２００においては、デジタル放送配信装置１００より送出された無線ＬＡＮ用ＲＦ信号をＲＦ信号送受信部２０１において受信すると(ステップＳ２１)、無線ＬＡＮデータ変復調部２０２において、無線ＬＡＮ方式に則って、受信した無線ＬＡＮ用ＲＦ信号の復調を行う（ステップＳ２２）。
【００６９】
次いで、無線ＬＡＮデータ組立部２０３において、復調されたデジタルデータより無線ＬＡＮ方式のペイロード部分にマッピングされているデジタル放送のデジタルデータを取り出してＴＳＰ取出部２０４に送出し（ステップＳ２３）ＴＳＰ取出部２０４において、デジタル放送のデジタルデータの中からトランスポートストリームパケット（ＴＳＰ）データの抽出を行う（ステップＳ２４）。
【００７０】
しかる後、デジタル放送受像回路部２０５において、抽出されたトランスポートストリームパケット（ＴＳＰ）データとして圧縮されているデジタルデータをデコードして、ＭＰＥＧ２またはＭＰＥＧ４等の符号化規格に則った処理を行い（ステップＳ２５）、デジタル放送受像部２０６によりデジタル放送受像端末のモニタ画面に映し出す（ステップＳ２６）。
【００７１】
（実施形態の効果の説明）
以上に詳細に説明したように、本実施形態においては、以下に記載するような効果を得ることができる。
【００７２】
第１の効果は、宅内や建物内を同軸ケーブルによって配線することなく、無線ＬＡＮネットワーク３００を用いて、デジタル放送配信装置１００からデジタル放送受像端末２００にデジタル放送信号を無線ＬＡＮ用ＲＦ信号として再送信をしているので、同軸ケーブルの配線工事の簡略化、同軸ケーブル配線時の断線を防ぐことがきることである。
【００７３】
第２の効果は、従来のデジタル放送受信システムにおいては、同軸ケーブルの配線がしてある場所においてのみデジタル放送受像端末２００が使用可能であったが、本実施形態においては、無線ＬＡＮネットワーク３００を用いて再送信することによって、デジタル放送受像端末２００を任意の場所にフレキシブルに配置することができることである。
【００７４】
第３の効果は、デジタル放送信号の受信周波数と無線ＬＡＮ用ＲＦ信号の周波数とは、異なる周波数帯を用いているので、外部からのデジタル放送信号（例えば地上デジタル放送信号）の周波数と混同することなく、デジタル放送の映像をデジタル放送受像端末２００において高画質で受像することができることである。
【００７５】
第４の効果は、各トランスポートストリームパケット（ＴＳＰ）として分割されたチャネル（ｃｈ）単位のデータを無線ＬＡＮの基本サービスセット識別子（ＢＳＳＩＤ）を単位として振り分けることによって、無線ＬＡＮの周波数を有効に利用することができることである。
【００７６】
（本発明の他の実施形態）
本発明の他の実施形態は、基本的構成については、前述の実施形態と全く同様であるが、１チャネル（ｃｈ）中のセグメント構成についてさらに工夫している例を示している。
【００７７】
現在のデジタル放送においては、デジタル放送のチャネル（ｃｈ）中のセグメント数を、１３セグメントではなく、１つ多い１４セグメントとし、その１つ多くした１セグメントを利用して、携帯端末などへ地上波デジタル放送を「１セグメント送信」として配信する方式が知られている。
【００７８】
かかる場合においては、図４に示したトランスポートストリームパケット（ＴＳＰ）の多重化構成は、トランスポートストリーム（ＴＳ）として１４個のセグメントが多重されたトランスポートストリームパケット（ＴＳＰ）データとなる。
【００７９】
ここで、図２に示したデジタル放送配信装置１００において、デジタル放送を受像するデジタル放送受像端末２００の端末種別に応じて、１チャネル（ｃｈ）当たりのセグメント数を示すトランスポートストリームパケット（ＴＳＰ）の多重単位を、切り替えて設定することができる機能をさらに追加して付与することによって、「１セグメント送信」の場合のみに限ることなく、例えば、１２セグメントを使用するＨＤＴＶ(High Definition Television)や６セグメントを使用するＳＤＴＶ(Standard Definition Television）等、様々な放送形態に合わせた最適なデジタル放送の再送信を行うことが可能になる。
【００８０】
かくのごとく、本他の実施形態においては、デジタル放送受像端末２００の端末種別に応じてトランスポートストリームパケット（ＴＳＰ）の多重単位をチャネル毎に任意のセグメント数に切り替えることができる多重単位切替部をデジタル放送配信装置１００にさらに追加して備えることにより、携帯端末などへの１セグメント放送、ＨＤＴＶ対応の１２セグメント放送、ＳＤＴＶ対応の６セグメント放送なども選択することが可能であり、而して、様々なデジタル放送受像端末への接続が可能となり、また、トランスポートストリームパケット（ＴＳＰ）の様々な多重単位の選択も可能になるという効果が得られる。
【００８１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００８２】
１００    デジタル放送配信装置
１００ａ  無線アクセス用アンテナ
１０１    ＲＦ信号受信部
１０２    デジタル放送用信号復調部
１０３    ＴＳＰ取出部
１０４    ＴＳＰ多重部
１０５    無線ＬＡＮデータ組立部
１０６    無線ＬＡＮデータ変復調部
１０７    ＲＦ信号送受信部
１０８    デジタル放送配信装置制御部
２００    デジタル放送受像端末
２０１    ＲＦ信号送受信部
２０２    無線ＬＡＮデータ変復調部
２０３    無線ＬＡＮデータ組立部
２０４    ＴＳＰ取出部
２０５    デジタル放送受像回路部
２０６    デジタル放送受像部
２０７    デジタル放送受像端末制御部
３００    無線ＬＡＮネットワーク
５００    テレビ受信用アンテナ
４００    同軸ケーブル
９０１    テレビ受信用アンテナ
９０２    同軸ケーブル
９０３    分配器
９０４    同軸ケーブル
９０５    受像端末
【図１】
2011223197.tif 000003
【図２】
2011223197.tif 000004
【図３】
2011223197.tif 000005
【図４】
2011223197.tif 000006
【図５】
2011223197.tif 000007
【図６】
2011223197.tif 000008
【図７】
2011223197.tif 000009
【図８】
2011223197.tif 000010
【図９】
2011223197.tif 000011